【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
サーバ装置が提供する画面を含む複数の処理画面の何れか一つを表示手段に表示すると共に、表示画面に応じて指示された処理を実行させるための表示制御手段と、
前記表示手段に表示された前記サーバ装置の提供する画面上で、画像読取手段により原稿画像を読み取る読取指示、及び読み取った前記原稿画像に応じた画像データを前記サーバ装置へ格納するための送信指示を受け付ける受付手段と、
前記受付手段により受け付けた前記送信指示を保持する指示保持手段と、
前記読取指示に基づいて前記原稿画像の読み取りを実行し、前記読み取りが完了した後、前記読み取りにより得られた前記画像データに対して前記指示保持手段に保持されている前記送信指示を実行する読取送信実行手段と、
を含む画像処理装置。
【請求項２】
前記表示制御手段は、前記読取送信実行手段による処理の実行中に、前記表示手段に表示する前記処理画面を切り換えることで、前記読取送信実行手段による処理を非表示状態で実行させる切換手段、を含む請求項１記載の画像処理装置。
【請求項３】
前記表示手段の表示画像に応じた処理の指示を入力する利用者を認証する認証手段と、
前記切換手段により前記読取送信実行手段による処理を非表示状態で実行する場合に、前記認証手段が認証した前記利用者を特定する認証情報を保持する認証情報保持手段と、
を含み、前記切換手段は、前記読取送信実行手段による処理を非表示状態で実行中に、新たに認証された認証情報と前記認証情報保持手段に保持された認証情報とを照合し、照合結果に基づき前記読取送信実行手段による処理を前記表示手段に表示するように切り換える、請求項２記載の画像処理装置。
【請求項４】
前記読取送信実行手段の処理の進行状態を示す画面を生成する処理状態画面生成手段と、
前記表示制御手段は、前記読取送信実行手段による処理を前記表示手段に表示する場合に、前記進行状態を示す画面を表示する、請求項１から請求項３の何れか１項記載の画像処理装置。
【請求項５】
画像を表示する表示手段を有する画像処理端末が接続される接続手段と、
前記読取送信実行手段の処理が前記非表示状態で実行されている場合、前記接続手段に接続された前記画像処理端末からの要求に基づいて前記進行状態を示す画面を前記画像処理端末へ送信する送信手段と、
を含む請求項４記載の画像処理装置。
【請求項６】
前記読取送信実行手段による前記画像データの前記サーバ装置への送信が完了しなかった場合に、前記画像データ及び送信指示を含む情報を保持する送信情報保持手段を含む、請求項１から請求項５の何れか１項に記載の画像処理装置。
【請求項７】
請求項１から請求項６の何れか１項に記載の画像処理装置と、
前記画像読取手段により読み取った前記原稿画像の画像データ又は入力手段を介して入力される画像データに基づいた画像を記録媒体に形成する画像形成手段と、
を含む画像形成装置。
【請求項８】
コンピュータを、
サーバ装置が提供する画面を含む複数の処理画面の何れか一つを表示手段に表示すると共に、表示画面に応じて指示された処理を実行させるための表示制御手段と、
前記表示手段に表示された前記サーバ装置の提供する画面上で、画像読取手段により原稿画像を読み取る読取指示、及び読み取った前記原稿画像に応じた画像データを前記サーバ装置へ格納するための送信指示を受け付ける受付手段と、
前記受付手段により受け付けた前記送信指示を保持する指示保持手段と、
前記読取指示に基づいて前記原稿画像の読み取りを実行し、前記読み取りが完了した後、前記読み取りにより得られた前記画像データに対して前記指示保持手段に保持されている前記送信指示を実行する読取送信実行手段と、
して機能させるための画像処理プログラム。
【手続補正２】
【補正対象書類名】明細書
【補正対象項目名】００１１
【補正方法】変更
【補正の内容】
【００１１】
請求項１に係る画像処理装置は、サーバ装置が提供する画面を含む複数の処理画面の何れか一つを表示手段に表示すると共に、表示画面に応じて指示された処理を実行させるための表示制御手段と、前記表示手段に表示された前記サーバ装置の提供する画面上で、画像読取手段により原稿画像を読み取る読取指示、及び読み取った前記原稿画像に応じた画像データを前記サーバ装置へ格納するための送信指示を受け付ける受付手段と、前記受付手段により受け付けた前記送信指示を保持する指示保持手段と、前記読取指示に基づいて前記原稿画像の読み取りを実行し、前記読み取りが完了した後、前記読み取りにより得られた前記画像データに対して前記指示保持手段に保持されている前記送信指示を実行する読取送信実行手段と、を含む。
【手続補正３】
【補正対象書類名】明細書
【補正対象項目名】００１３
【補正方法】変更
【補正の内容】
【００１３】
請求項３に係る画像処理装置は、請求項２において、前記表示手段の表示画像に応じた処理の指示を入力する利用者を認証する認証手段と、前記切換手段により前記読取送信実行手段による処理を非表示状態で実行する場合に、前記認証手段が認証した前記利用者を特定する認証情報を保持する認証情報保持手段と、を含み、前記切換手段は、前記読取送信実行手段による処理を非表示状態で実行中に、新たに認証された認証情報と前記認証情報保持手段に保持された認証情報とを照合し、照合結果に基づき前記読取送信実行手段による処理を前記表示手段に表示するように切り換える。
【手続補正４】
【補正対象書類名】明細書
【補正対象項目名】００１６
【補正方法】変更
【補正の内容】
【００１６】
請求項６に係る画像処理装置は、請求項１から請求項５の何れか１項において、前記読取送信実行手段による前記画像データの前記サーバ装置への送信が完了しなかった場合に、前記画像データ及び送信指示を含む情報を保持する送信情報保持手段を含む。
【手続補正５】
【補正対象書類名】明細書
【補正対象項目名】００１７
【補正方法】変更
【補正の内容】
【００１７】
請求項７に係る画像形成装置は、請求項１から請求項６の何れか１項に記載の画像処理装置と、前記画像読取手段により読み取った前記原稿画像の画像データ又は入力手段を介して入力される画像データに基づいた画像を記録媒体に形成する画像形成手段と、を含む。
【手続補正６】
【補正対象書類名】明細書
【補正対象項目名】００１８
【補正方法】変更
【補正の内容】
【００１８】
請求項８に係る画像処理プログラムは、コンピュータを、サーバ装置が提供する画面を含む複数の処理画面の何れか一つを表示手段に表示すると共に、表示画面に応じて指示された処理を実行させるための表示制御手段と、前記表示手段に表示された前記サーバ装置の提供する画面上で、画像読取手段により原稿画像を読み取る読取指示、及び読み取った前記原稿画像に応じた画像データを前記サーバ装置へ格納するための送信指示を受け付ける受付手段と、前記受付手段により受け付けた前記送信指示を保持する指示保持手段と、前記読取指示に基づいて前記原稿画像の読み取りを実行し、前記読み取りが完了した後、前記読み取りにより得られた前記画像データに対して前記指示保持手段に保持されている前記送信指示を実行する読取送信実行手段と、して機能させる。
【手続補正７】
【補正対象書類名】明細書
【補正対象項目名】００４８
【補正方法】変更
【補正の内容】
【００４８】
画像形成装置１２は、ウェブサーバ１４からサービスの提供を受けるときに、モニタ４６に表示するブラウザから、ウェブサーバ１４に対して、ＨＴＭＬ（Hyper  Text  Markup  Language）のフォームを要求し、要求したフォームに応じた画面をブラウザに表示する。スキャンアップロードを行なう場合、画像形成装置１２は、スキャンアップロードに用いるＨＴＭＬのフォームの画面をブラウザに表示し、この表示画面から、スキャン指示が入力される（スキャン指示手段５０Ｂの操作）ことでスキャンデータの生成を行なう。
【手続補正８】
【補正対象書類名】明細書
【補正対象項目名】００４９
【補正方法】変更
【補正の内容】
【００４９】
また、画像形成装置１２は、ブラウザの表示画面からアップロード指示が入力される（アップロード指示手段５０Ｃの操作）ことで、スキャンデータに基づいて作成した送信ファイルをウェブサーバ１４へ送信する。
【手続補正９】
【補正対象書類名】明細書
【補正対象項目名】０１２２
【補正方法】変更
【補正の内容】
【０１２２】
また、画像形成装置１０では、スキャンアップロードの処理をバックグラウンドで行なうことで、フォアグラウンドにおいて、他の機能を用いた処理を行なうことができる。このとき、バックグラウンドで実行するスキャンアップロードの利用者の認証情報を別に保持しているので、フォアグラウンドで他のユーザが画像形成装置１２を使用することができる。
【手続補正１０】
【補正対象書類名】明細書
【補正対象項目名】０１２３
【補正方法】削除
【補正の内容】